【事件の表示】
　特願２００２−２０９２２８「ゴルフプレイ情報提供方法及びゴルフプレイ情報提供システム」拒絶査定不服審判事件〔平成１６年　２月１９日出願公開、特開２００４−　５４４６９〕について、次のとおり審決する。
【結　論】
　本件審判の請求は、成り立たない。
【理　由】
１　手続の経緯・本願発明
　本願は、平成１４年７月１８日の出願であって、平成２０年３月６日付けで拒絶の理由が通知され、同年４月２５日に意見書が提出されるとともに手続補正がなされたが、同年６月２６日付けで拒絶査定がなされ、これに対して同年７月３１日に拒絶査定不服の審判が請求されたものである。
　
　そして、本願の請求項１に係る発明（以下、「本願発明」という。）は、平成２０年４月２５日に提出された手続補正書によって補正された特許請求の範囲の記載からみて、特許請求の範囲の請求項１に記載された以下のとおりのものと認める。
　
「携帯電話端末とサーバとはインターネットを介して情報の送受信が可能となっているゴルフプレイ情報提供システムにおいて、
　前記携帯電話端末は、
　送受信した情報を表示する表示部と、ＧＰＳ受信機と、ゴルフプレイ情報提供システムのアプリケーションを実行する仮想マシンと、を備え、
　メニュー画面からゴルフプレイ情報提供システムを選択することによって、前記表示部に入力画面を表示する入力画面表示手段と、
　入力画面表示後、ユーザＩＤの入力に続き、表示されている入力画面を用い、ユーザがプレイしているホール番号を入力し、各ホールについて、ショットを行う毎に使用クラブを選択すると共にショットボタンを選択し、ペナルティを受ける場合には罰打を選択し、グリーンオンするとグリーンオンボタンを選択した後、パット数を入力する操作を繰り返すユーザ入力操作手段と、を有し、
　前記サーバは、
　バスを介して接続されている中央処理装置と記憶装置と通信装置とユーザ情報データベースとゴルフコース地図データベースを備え、
　前記携帯電話端末からユーザＩＤを受信すると、ユーザＩＤとそのユーザＩＤを送信した携帯電話端末とを対応させて記憶する手段と、
　ユーザＩＤの受信後、携帯電話端末から最初にホール番号と使用クラブとショットボタンの選択を受信すると、ホール番号及びゴルフクラブの種類の情報とともに、ＧＰＳ衛星及び基地局から受信した電波から測定された携帯電話端末の現在位置情報を受信し、ゴルフコース地図データベースを検索して、その位置情報の緯度・経度を含むゴルフコース名を特定するゴルフコース特定手段と、
　ゴルフコース名を特定した後、携帯電話端末へのユーザ入力操作を受信すると、受信する毎にホール番号と、ゴルフクラブの種類の情報と、位置情報をそれぞれ対応させてユーザ情報データベースに記録するユーザ情報記録手段と、
　前記携帯電話端末からホール毎の位置情報を受信した回数と、罰打の情報と、パット数の情報とにより打数のカウントアップをし、この算出された打数をリアルタイムで携帯電話端末に送信するとともに、ユーザ情報データベースに記録する打数記録手段と、
　ユーザの通信情報端末からゴルフ情報提供リクエストを受信すると、ユーザ情報データベースに有する記録情報をユーザの通信情報端末に送信するゴルフプレイ情報提供手段と、
　を有することを特徴とするゴルフプレイ情報提供システム。」
　
　
２　引用例
（１）引用例１
　原査定の拒絶の理由に引用された、本願出願日前に頒布された刊行物である特開２００２−２４４６６号公報（以下、「引用例１」という。）には、図面とともに以下（ア）ないし（ス）の事項が記載されている。
　
（ア）「【００１０】
【課題を解決するための手段】本発明のゴルフデータ管理システムは、図１を参照して説明すると、携帯通信端末１と、この携帯通信端末１と通信網３を介してデータの送受信を行うデータセンタ３とを含むゴルフデータ管理システムであって、携帯通信端末１は、測位部１２によるショットやパット位置を測定した測位データとスコアとをプレーデータとして記録する記録部１３等の記録手段と、この記録手段に記録されたプレーデータに、携帯通信端末を携帯するプレイヤの個人識別番号を付加して、各ホールのカップイン後に、データセンタ２に通信網３を介して送信する通信部１４等の送信手段と、データセンタ２からの通信網３を介して受信したデータを格納し、且つ表示する表示部を含む出力部１５等の表示手段とを有し、データセンタ２は、個人識別番号対応の練習結果データ及びプレーデータをゴルフ場対応に且つプレー日対応に格納して管理する個人データ格納部２３と、複数のゴルフ場対応のコースマップデータを格納した共通データ格納部２５と、携帯通信端末１からの要求に従って、個人データ格納部２３に格納されたプレーデータを送出する手段とを有するものであり、更に共通データ格納部２５に格納されたコースマップデータを送出する処理受付部２１等の手段を設けることもできる。
【００１１】・・・（中略）・・・又携帯通信端末１は、プレーデータを記録部１３に記録し、カップインボタンを押下した時に、記録部１３からプレーデータをデータセンタに送出する構成を有するものである。
【００１２】又データセンタ２は、プレイヤの個人識別番号対応のプレーデータ及び練習結果データを格納する個人データ格納部２３と、複数のゴルフ場対応のコースマップデータを格納した共通データ格納部２５と、・・・（中略）・・・を有するものである。又小グループのプレー状況を管理するグループデータ格納部２４と、小グループ全員にそれぞれのスコアを配信する配信処理部２８とを含む構成を有するものである。
【００１３】又プレイヤ個人のゴルフデータを管理するゴルフデータ管理方法であって、共通データ格納部２５にゴルフ場対応のコースマップデータを格納し、且つ携帯通信端末１からの個人識別番号が付加された測位データとスコアとからなるプレーデータ又は個人識別番号が付加された練習結果データを受信して、個人データ格納部２３の個人識別番号対応の領域に格納して管理し、携帯通信端末１からの個人識別番号が付加されたコースマップデータ又はプレーデータの要求に従って、共通データ格納部２５からのコースマップデータ又は個人データ格納部２３から個人識別番号対応のプレーデータを読出して、携帯通信端末へ送出する過程を含むものである。」
　
（イ）「【００１６】
【発明の実施の形態】図１は本発明の実施の形態の説明図であり、携帯通信端末１とデータセンタ２と通信網３とを含むゴルフデータ管理システムを示すものであり、４は概略構成を示すゴルフ場、５はＧＰＳ（Ｇｌｏｂａｌ　Ｐｏｓｉｔｉｏｎｉｎｇ　Ｓｙｓｔｅｍ）用の通信衛星、６はデータ処理部、１１はプロセッサ（ＣＰＵ）、１２は測位部、１３は記録部、１４は通信部、１５は出力部、１６は入力部、１７は入力装置、１８は簡易表示部、１９はセレクトスイッチ、２０は入力ボタンを示す。又データセンタ２の２１は処理受付部、２２は認証部、２３は個人データ格納部、２４はグループデータ格納部、２５は共通データ格納部、２６はデータ分析部、２７はトランザクション処理部、２８は配信処理部を示す。
【００１７】携帯通信端末１は、プレイヤが携帯するものであり、その構成は、各部を制御するプロセッサ１１と、現在位置を検出する為の測位部１２と、現在位置を示す測位データやプレーデータ等を記録し、又データセンタ２からの受信データを格納する記録部１３と、データセンタ２との間で通信を行う為の通信部１４と、文字，図形等を表示する液晶パネル等の表示部と音声出力部と外部へのデータの出力を行うインタフェース等を含む出力部１５と、図示を省略したファンクションボタンやダイヤルボタン等を備えていると共に外部からのデータを入力する入力部１６とを含むものである。従って、ゴルフデータ専用の携帯通信端末１とすることもできるが、通信機能については携帯電話機やＰＨＳと同等であるから、測位部１２を搭載した携帯電話機又はＰＨＳに、ゴルフデータ管理のプログラムを格納して使用することもできる。・・・」
　
（ウ）「【００１８】又入力装置１７は、ショットボタン，パットボタン，ペナルティボタン，キャンセルボタン，カップインボタン，アドバイスボタンや入手ボタン等の入力ボタン２０と、入力項目選択等を行うセレクトスイッチ１９と、入力内容等を表示する簡易表示部１８とを含む構成を有し、携帯通信端末１の入力部１６に接続するものである。この入力部１６との間の接続は、信号線を用いた場合を示しているが、赤外線や電波による無線接続構成を適用することもできる。又入力装置１７の入力機能を、携帯通信端末１の入力部１６に持たせて、入力装置１７を省略することも可能である。
【００１９】又データセンタ２は、通信網３に接続してデータの送受信処理等を行う処理受付部２１と、データセンタ２にアクセス可能の携帯通信端末１であるか否かを、予め登録したＩＤ（識別番号）等により認証する認証部２２と、予め登録された個人ＩＤ対応のゴルフデータを格納する個人データ格納部２３と、・・・（中略）・・・を含むものである。」
　
（エ）「【００２０】・・・（中略）・・・又携帯通信端末１とデータセンタ２との間は、インターネット接続とし、データの送受信はパケットとして行う構成とすることができる。」
　
（オ）「【００２３】又データ処理部６は、・・・（中略）・・・又過去のゴルフデータを個人データ格納部２３からダウンロードして表示できるものである。従って、インターネット等の通信網３に対する接続機能を有するパソコンを適用することができる。又携帯通信端末１を、練習結果データの入力手段として利用することも可能であり、又データセンタ２から練習結果データや過去のプレーデータをダウンロードして表示し、練習の参考とすることができる。」
　
（カ）「【００２５】データセンタ２に於いては、受信した個人ＩＤと予め登録された個人ＩＤとを認証部２２に於いて照合し、照合一致の場合に、コースマップデータ要求に従って共通データ格納部２５を検索する。この共通データ格納部２５に、ゴルフ場の位置データとコースマップデータとを対応して格納しておくことにより、受信した測位データを基に共通データ格納部２５を検索し、要求されたゴルフ場を識別して、そのコースマップデータを読出し、配信処理部２８の制御によって、コースマップデータ要求の携帯通信端末１に対して、ダウンロードとして示すようにコースマップデータを送信することができる。」
　
（キ）「【００２７】そして、携帯通信端末１を携帯してプレーする場合、ティーグランドから（Ｈｏｌｅ開始）として示すように、１打目のショットをする前に、入力装置１７の入力ボタン２０の中のショットボタンを押す。その１打目のボールがフェアウェイ（ｆａｉｒｗａｙ）から外れてラフ（ｒｏｕｇｈ）に入った場合を示し、そのラフから２打目のショットを行う時も、その前にショットボタンを押す。
【００２８】又ラフからの２打目のショットによりＯＢ（アウト・オブ・バウンズ；ｏｕｔ−ｏｆ−ｂｏｕｎｄｓ）となった場合を示し、このＯＢとなった位置の近傍のスルー・ザ・グリーンから１ペナルティとして３打目をショットすることになるが、そのショット前に、入力ボタン２０のペナルティボタンを１回押して１ペナルティを入力し、且つショットボタンを押す。・・・（中略）・・・」
　
（ク）「【００２９】この３打目でフェアウェイにボールがのり、４打目のショットを行う前にショットボタンを押す。この４打目のショットでボールがグリーンにのった場合を示し、グリーン上５打目としてパットする前に入力ボタン２０のパットボタンを押す。パターによる５打目でカップインすると、入力ボタン２０のカップインボタンを押す。従って、このホールは４オン，１パットの５打となる。パー４のホールであればボギーであり、又パー５のホールであればパーとなる。
【００３０】携帯通信端末１は、測位部１２によりプレイヤがショットする位置を検出することができるものであり、前述のショットボタン又はパットボタンを押した時の測位データとショット又はパットのデータとを組として、又ペナルティ回数を含めて、プロセッサ１１の制御によって入力ボタン２０の操作によるプレーデータを記録部１３に記録する。そして、カップインボタンを押下すると、プロセッサ１１の制御により記録部１３に記録されたプレーデータに、予め登録された個人ＩＤを付加してデータセンタ２へ、通信部１４から通信網３を介してアップロードとして示すように送出する。データセンタ２は、個人データ格納部２３に、個人ＩＤ対応にプレーデータを格納する。」
　
（ケ）「【００４２】前述のように、カップインボタン押下によって携帯通信端末１の記録部１３に記録されたプレーデータをデータセンタ２に転送し、個人データ格納部２３の個人プレーデータの領域に格納することになる。例えば、図１の１打目については、プレーデータ詳細部は、打数識別子は第１打を示す１、スコア属性はショットを示す１、測位データは、ティーグランドの位置データ、プレー調子識別子は、スライスを示す１となる。」
　
（コ）「【００４７】図７はプレーデータ入力処理説明図であり、プレイヤが携帯通信端末１の入力装置１７のショット／パットボタンを押下すると（Ａ１）、スコアカウントを＋１し（Ａ２）、測位部１２により測位データを取得する（Ａ３）。測位データは、例えば、経度／緯度／標高からなり、携帯通信端末１の記録部１３に記録する（Ａ４）。・・・」
　
（サ）「【００４９】又前述の２打目のＯＢのような場合、ペナルティボタンを押下する（Ｃ１）。それにより、スコアカウントを＋１する（Ｃ２）。なお、１ペナルティより多いペナルティの場合、ペナルティボタンを押下した回数分スコアカウントをカウントアップする。この場合、ホール対応又は１ラウンド中のペナルティ数の統計をとる為に、ペナルティ数をカウントアップして記録する。」
　
（シ）「【００６９】図１３はプレー開始前の登録処理の説明図であり、前述の登録処理が終了した後、プレイ開始前の登録処理を示し、専用の携帯通信端末を持っていないプレイヤは、ゴルフ場から携帯通信端末１（図１参照）を借受ける（Ｇ１）。その携帯通信端末１に前述のユーザＩＤを設定する。又専有の携帯通信端末１を所有するプレイヤは、前述の登録処理時にユーザＩＤを携帯通信端末１に設定済みとなっている。そして、入力装置１７のボタン操作によりデータセンタ２へアクセスする（Ｇ２）。
【００７０】この場合、携帯通信端末１は、ゴルフデータ管理のプログラムとして、データセンタ２のアドレスが設定されている。従って、ボタン押下によって簡単にデータセンタ２へアクセスすることができる。データセンタ２は、ユーザのログイン（ｌｏｇｉｎ）認証処理を認証部２２に於いて行い（Ｇ１１）、プレーを開始する端末番号／ユーザＩＤを個人データ格納部２３に登録する（Ｇ１２）。・・・」
　
（ス）「【００７８】又ショットやパットを行う前にショットボタンやパットボタンを押下する。又前回のショットによるＯＢの場合やウォーターハザード（ｗａｔｅｒ  ｈａｚａｒｄ）に入った場合等は、ペナルティボタンを１回押下する（Ｈ２）。そして、ショット又はパットを行い（Ｈ３）、その結果のスライス、フック、ダフリ等を、入力装置１７（図１参照）の調子ボタン選択によって入力する（Ｈ４）。これらの入力データは、携帯通信端末１の記録部１３に記録される。
【００７９】そして、カップインか否かを判定し（Ｈ５）、カップインでない場合は、ステップ（Ｈ１）に移行する。又カップインの場合は、カップインボタンを押下する（Ｈ４）。このカップインボタン押下により、携帯通信端末１の通信部１４からデータセンタ２に対して記録部１３に記録されたプレーデータが送信される。この場合、例えば、図８に示すように、カップイン処理１と成績データ３との情報内容識別子とユーザＩＤとを含むアップロード用ヘッダと、記録部１３に記録されたプレーデータとが送信される。
【００８０】データセンタ２は、ユーザＩＤを基に個人プレーデータとして個人データ格納部２３に格納する。・・・」
　
　上記摘記事項（ア）〜（ス）によれば、以下の（ａ）〜（ｆ）の事項がいえる。
　
（ａ）上記摘記事項（エ）に「携帯通信端末１とデータセンタ２との間は、インターネット接続とし、データの送受信はパケットとして行う構成とすることができる。」と記載されているから、引用例１に記載されたものは、携帯通信端末１とデータセンタ２とがインターネットを介して情報の送受信が可能になっているゴルフデータ管理システムということができる。
　
（ｂ）上記摘記事項（イ）に「図１は本発明の実施の形態の説明図であり、・・・５はＧＰＳ（Ｇｌｏｂａｌ　Ｐｏｓｉｔｉｏｎｉｎｇ　Ｓｙｓｔｅｍ）用の通信衛星・・・を示す。」とあり、さらに「携帯通信端末１は、・・・現在位置を検出する為の測位部１２と、・・・文字，図形等を表示する液晶パネル等の表示部と・・・等を含む出力部１５と、・・・を含むものである。」と記載されていることによれば、携帯通信端末１はＧＰＳによる測位部１２と表示部を有しており、また、携帯通信端末に備えられた表示部は送受信した情報を表示するものであると考えるのが自然である。
　
（ｃ）上記摘記事項（ウ）に「入力装置１７は、ショットボタン，パットボタン，ペナルティボタン，キャンセルボタン、カップインボタン・・・等の入力ボタン２０と、・・・を含む構成を有し、携帯通信端末１の入力部１６に接続するものである。」と記載されており、さらに「又入力装置１７の入力機能を、携帯通信端末１の入力部１６に持たせて、入力装置１７を省略することも可能である。」と記載されていることから、携帯通信端末１は、ショットボタン，パットボタン，ペナルティボタン等の入力ボタン２０を有しているとも言うことができ、さらに、上記摘記事項（キ）（ク）を参照すると、入力ボタン２０はショットをする毎にショットボタンを押し、ＯＢなどのペナルティの対象となった場合ペナルティボタンを押し、パットをする毎にパットボタンを押すものとなっている。
　そして、引用例１に記載されたものは、カップインボタンを押下すると、記録部１３に記録されたプレーデータをデータセンタ２へ送出するものである。
　
（ｄ）引用例１に記載されたものにおいて、上記摘記事項（ア）（カ）などの記載によれば、データセンタ２はいわゆるサーバとして機能しているものであるから、サーバの一般的構成を考慮すれば、データセンタ２もバスを介してされた中央処理装置、記憶装置、通信装置を有していると考えることが自然であり、また上記摘記事項（ア）によれば、データセンタ２は個人データ格納部２３を有しており、この個人データ格納部２３もバスを介して他の構成と接続されていると解するのが技術常識から自然である。
　
（ｅ）上記摘記事項（ク）に「携帯通信端末１は、測位部１２によりプレイヤがショットする位置を検出することができるものであり、前述のショットボタン又はパットボタンを押した時の測位データとショット又はパットのデータとを組として、又ペナルティ回数を含めて、・・・入力ボタン２０の操作によるプレーデータを記録部１３に記録する。そして、カップインボタンを押下すると、・・・記録部１３に記録されたプレーデータに、予め登録された個人ＩＤを付加してデータセンタ２へ、通信部１４から通信網３を介してアップロードとして示すように送出する。データセンタ２は、個人データ格納部２３に、個人ＩＤ対応にプレーデータを格納する。」と記載され、また上記摘記事項（コ）に「プレイヤが携帯通信端末１の入力装置１７のショット／パットボタンを押下すると（Ａ１）、・・・・測位部１２により測位データを取得する（Ａ３）。測位データは、・・・携帯通信端末１の記録部１３に記録する（Ａ４）」と記載され、さらに、上記摘記事項（ケ）に「カップインボタン押下によって携帯通信端末１の記録部１３に記録されたプレーデータをデータセンタ２に転送し、個人データ格納部２３の個人プレーデータの領域に格納することになる。」と記載されていることからみて、引用例１に記載されたものは、プレイヤがショット／パットボタンを押下する毎に測位データを取得し、ユーザが携帯通信端末のカップインボタンを押下する毎に、測位部１２によりプレイヤがショットする位置を検出した測位データをデータセンタの個人データ格納部２３に格納する手段を有しているものといえる。
　
（ｆ）上記摘記事項（コ）に「プレイヤが携帯通信端末１の入力装置１７のショット／パットボタンを押下すると（Ａ１）、スコアカウントを＋１し（Ａ２）・・、携帯通信端末１の記録部１３に記録する（Ａ４）。」と記載され、また上記摘記事項（サ）に「又前述の２打目のＯＢのような場合、ペナルティボタンを押下する（Ｃ１）。それにより、スコアカウントを＋１する（Ｃ２）。なお、１ペナルティより多いペナルティの場合、ペナルティボタンを押下した回数分スコアカウントをカウントアップする。この場合、ホール対応又は１ラウンド中のペナルティ数の統計をとる為に、ペナルティ数をカウントアップして記録する。」と記載されていることから、引用例１記載のものは、携帯通信端末１においてショット／パットボタンの押下とペナルティボタンの押下によってスコアカウントをカウントアップし、記録する。そして、上記摘記事項（ス）に「これらの入力データは、携帯通信端末１の記録部１３に記録される。そして、・・・カップインの場合は、カップインボタンを押下する（Ｈ４）。このカップインボタン押下により、携帯通信端末１の通信部１４からデータセンタ２に対して記録部１３に記録されたプレーデータが送信される。・・・データセンタ２は、ユーザＩＤを基に個人プレーデータとして個人データ格納部２３に格納する。」と記載されていることから、カップインボタンの押下により携帯通信端末１の記録部１３に記憶されたスコアカウントなどの入力データは、データセンタ２に送信され個人データ格納部２３に格納されると考えるのが自然である。
　
　したがって、上記の検討を踏まえると、上記摘記事項（ア）ないし（ス）（ただし（オ）を除く）、及びこれに関連する図面の内容を総合すると、引用例１には以下の発明（以下、「引用発明１」という。）が記載されていると認められる。
　
「　携帯通信端末１とデータセンタ２とがインターネットを介して情報の送受信が可能となっているゴルフデータ管理システムにおいて、
　前記携帯通信端末１は、
　送受信した情報を表示する表示部と、ＧＰＳによる測位部１２と、記録部１３とを備え、
　ショットをする毎にショットボタンを押し、ＯＢなどのペナルティの対象となった場合、ペナルティボタンを押し、パットをする毎にパットボタンを押す入力ボタン２０、を有し、
　前記携帯通信端末１においてショット／パットボタンの押下とペナルティボタンの押下によってスコアカウントをカウントアップして前記記録部１３に記録し、ユーザがカップインボタンを押下する毎に、前記記録部１３に記録された前記スコアカウントを前記データセンタに送信し、
　前記データセンタ２は、
　バスを介して接続されている中央処理装置と記憶装置と通信装置と個人データ格納部２３を備え、
　前記携帯通信端末１においてユーザがカップインボタンを押下する毎に、プレイヤがショットする位置を検出した測位データを前記データセンタ２において前記個人データ格納部２３に格納する手段と、
　前記携帯通信端末１から送信された前記スコアカウントを前記個人データ格納部２３に格納する手段、
　を有することを特徴とするゴルフデータ管理システム。」
　
　
（２）引用例２
　原査定の拒絶の理由に引用された、本願出願日前に頒布された刊行物である特開２００１−３７９３８号公報（以下、「引用例２」という。）には、図面とともに以下（セ）ないし（タ）の事項が記載されている。
　
（セ）「【０００１】
【産業上の利用分野】この発明は、ゴルフプレイヤ自身がゴルフをプレーする際に端末器本体を携行し、該端末器本体にスコア等の情報を入力することで、端末器がプレイ結果を蓄積させ、プレイヤに必要な情報を還元できるようにしたゴルフ用プレー情報の端末器とその分析システムに関するものである。」
　
（ソ）「【００１３】５．また、プレー結果は、数値以外でもそのコースのレイアウトと打ったボールの軌跡と共に、ペーパーであるいは電子的に出力機構より出力することが出来る。この結果、後刻それらの資料を参考として、今後のプレーの向上に役立たせることが出来るのである。なお、これらの資料はＷｅｂやＷＷＷなどを用いてインターネットで受けることも出来る
６．さらに上記端末器本体のレイアウトには、予め仮令えば「プロ」の、そのコース攻略の見本となる軌跡を入力しておけば、さらにプレイヤの当該コースの攻略の参考及び多大に興味を同時に持たせることが出来るのである。」
　
（タ）「【００４１】また該端末器（１）から収集されたゴルフプレーに関するデータと、予め該スコア分析システム（Ｂ）に入力されていたコース情報とを照合して分析，解析されたデータは、ワールド・ワイド・ウェブ（ＷＷＷ）やＷｅｂコンテンツを介して提供され、仮令えばＶＴＲとの連動により視覚的情報として提供できるものであり、自宅などの遠隔地にいながらにして、今後のゴルフの戦略を立てたり、自己のゴルフの向上に役立たせたりすることが出来るものである。」
　
　したがって、上記摘記事項（セ）ないし（タ）、及びこれに関連する図面の内容を総合すると、引用例２には以下の発明（以下、「引用発明２」という。）が記載されていると認められる。
　
「ゴルフ用プレー情報の端末器とその分析システムに関し、端末器により収集されたゴルフプレーに関するデータや、分析，解析されたデータプレー結果などの資料をＷｅｂやＷＷＷなどを用いてインターネットで受けるシステム。」
　
　
３　対比
　本願発明と引用発明１を対比すると、
　
　引用発明１の「携帯通信端末１」は上記摘記事項（イ）に「携帯通信端末１は、・・・通信機能については携帯電話機やＰＨＳと同等であるから、測位部１２を搭載した携帯電話機又はＰＨＳに、ゴルフデータ管理のプログラムを格納して使用することもできる。」と記載されていることからみて、本願発明の「携帯電話端末」に相当する。
　
　引用発明１の「データセンタ２」「表示部」「ＧＰＳによる測位部１２」「ショットボタン」「ペナルティボタン」は、それぞれ本願発明の「サーバ」「表示部」「ＧＰＳ受信機」「ショットボタン」「罰打」に相当する。
　
　引用発明１の「入力ボタン２０」は、後述する点で相違はするものの、ショットやペナルティ毎に入力を行う点で本願発明の「ユーザ入力操作手段」と共通する。
　
　引用発明１の「バス」「中央処理装置」「記憶装置」「通信装置」「測位データ」は、それぞれ本願発明の「バス」「中央処理装置」「記憶装置」「通信装置」「位置情報」に相当する。
　
　引用発明１の「個人データ格納部２３」は、後述する点で相違するものの、測距データとスコアカウントを格納している点で本願発明の「ユーザ情報データベース」に対応する。
　
　引用発明１の「前記携帯通信端末１においてユーザがカップインボタンを押下する毎に、プレイヤがショットする位置を検出した測位データを前記データセンタ２において前記個人データ格納部２３に格納する手段」は、後述する点で相違はするものの、本願発明の「ユーザ情報記録手段」と測位データを個人データ格納部２３に格納する点で対応する。
　
　引用発明１における「前記携帯通信端末１から送信された前記スコアカウントを前記個人データ格納部２３に格納する手段」は、後述する点で相違はするものの、打数を記録するという点において、本願発明の「打数記録手段」に対応する。
　
　また、引用発明１の「ゴルフデータ管理システム」は、本願発明の「ゴルフプレイ情報提供システム」と「ゴルフ情報に係るシステム」である点で共通する。
　
　したがって、本願発明と引用発明１は、以下の［一致点］で一致し、［相違点１］ないし［相違点８］で相違する。
　
　
［一致点］
「携帯電話端末とサーバとはインターネットを介して情報の送受信が可能となっているゴルフ情報に係るシステムにおいて、
　前記携帯電話端末は、
　送受信した情報を表示する表示部と、ＧＰＳ受信機と、を備え、
　ショットを行う毎にショットボタンを選択し、ペナルティを受ける場合には罰打を選択するユーザ入力操作手段と、を有し、
　前記サーバは、
　バスを介して接続されている中央処理装置と記憶装置と通信装置とユーザ情報データベースを備え、
　位置情報をユーザ情報データベースに記録するユーザ情報記録手段と、
　打数をユーザ情報データベースに記録する打数記録手段と、
　を有することを特徴とするゴルフ情報に係るシステム。」
　
　
［相違点１］
　本願発明は、携帯電話端末に「ゴルフプレイ情報提供システムのアプリケーションを実行する仮想マシン」を有しているのに対して、引用発明１はそのようなものではない点。
　
［相違点２］
　本願発明は、携帯電話端末に「メニュー画面からゴルフプレイ情報提供システムを選択することによって、前記表示部に入力画面を表示する入力画面表示手段」を有しているのに対して、引用発明１はそのようなものではない点。
　
［相違点３］
　本願発明は、携帯電話端末に「入力画面表示後、ユーザＩＤの入力に続き、表示されている入力画面を用い、ユーザがプレイしているホール番号を入力し、各ホールについて、ショットを行う毎に使用クラブを選択すると共にショットボタンを選択し、ペナルティを受ける場合には罰打を選択し、グリーンオンするとグリーンオンボタンを選択した後、パット数を入力する操作を繰り返すユーザ入力操作手段」を有しているのに対して、本願発明のユーザ入力操作手段に対応する引用発明１の入力ボタンは、ショットやペナルティの入力は行っているものの、その他の構成を有していない点。
　
［相違点４］
　本願発明は、携帯電話端末からユーザＩＤを受信すると、ユーザＩＤとそのユーザＩＤを送信した携帯電話端末とを対応させて記憶する手段を有するのに対して、引用発明１はそのようなものではない点。
　
［相違点５］
　本願発明は、サーバにゴルフコース地図データベースを有し、ユーザＩＤの受信後、携帯電話端末から最初にホール番号と使用クラブとショットボタンの選択を受信すると、ホール番号及びゴルフクラブの種類の情報とともに、ＧＰＳ衛星及び基地局から受信した電波から測定された携帯電話端末の現在位置情報を受信し、ゴルフコース地図データベースを検索して、その位置情報の緯度・経度を含むゴルフコース名を特定するゴルフコース特定手段を有するのに対して、引用発明１はそのようなものではない点。
　
［相違点６］
　本願発明の「ユーザ情報記録手段」は「ゴルフコース名を特定した後、携帯電話端末へのユーザ入力操作を受信すると、受信する毎にホール番号と、ゴルフクラブの種類の情報と、位置情報をそれぞれ対応させてユーザ情報データベースに記録する」ものであるのに対して、引用発明１はそのようなものではない点。
　
［相違点７］
　本願発明の「打数記録手段」は「前記携帯電話端末からホール毎の位置情報を受信した回数と、罰打の情報と、パット数の情報とにより打数のカウントアップをし、この算出された打数をリアルタイムで携帯電話端末に送信するとともに、ユーザ情報データベースに記録する」ものであるのに対して、引用発明１はそのようなものではない点。
　
［相違点８］
　本願発明は「ユーザの通信情報端末からゴルフ情報提供リクエストを受信すると、ユーザ情報データベースに有する記録情報をユーザの通信情報端末に送信するゴルフプレイ情報提供手段」を有する「ゴルフプレイ情報提供システム」であるのに対して、引用発明１はそのようなものではない点。
　
　
４　判断
　相違点について検討する。
　
［相違点１］について
　携帯電話端末などのハードウェア上において、仮想マシンによってアプリケーションを実行させることは広く一般に行われている事項であり、技術常識にすぎない。したがって、［相違点１］とした本願発明の構成は、当業者が必要に応じて容易に想到できたものにすぎない。
　
［相違点２］について
　一般的に、プログラムを実行する前に、メニュー画面を表示して機能やプログラムを選択するように構成することは広く行われている常套手段にすぎないから、引用発明１においても、初期状態において「メニュー画面からゴルフプレイ情報提供システムを選択することによって、前記表示部に入力画面を表示する」ような「入力画面表示手段」を設けることは、当業者が容易に想到できた程度の事項にすぎない。
　なお、この点に関して、審判請求人は平成２０年８月２０日付け手続補正書の「（４）（ｄ）」において、「しかし、引用文献１の段落［００１８］には、「又入力装置１７は、ショットボタン，パットボタン，ペナルティボタン，キャンセルボタン，カップインボタン，アドバイスボタンや入手ボタン等の入力ボタン１９と、入力内容等を表示する簡易表示部１８とを含む構成を有し、携帯通信端末１の入力部１６に接続するものである。」と記載されている。さらに、引用文献１の［図１］には、携帯通信端末１にラインにて接続された入力装置１７が記載されている。
　したがって、引用文献１に記載された発明は、本願発明の「携帯電話端末の表示部に表示されている入力画面を用いて、ホール番号や打数の入力操作を行うようにし、携帯電話端末以外に固有の入力装置を持たないようにする」という技術思想を見出すことができない以上、アプリケーションをメニュー画面の選択によって開始するという本願発明の構成は、引用文献１から当業者が適宜なし得たものとはいえない。」と主張をしている。
　しかしながら、上記「２（１）（ウ）」において摘記し、上記「２（１）（ｃ）」において述べたように、引用例１には入力装置１７の機能を携帯通信端末１に持たせることにより入力装置１７を省略することが記載されていることから、請求人の上記主張は採用できない。
　
［相違点３］について
　本願発明は、入力画面表示の後にユーザＩＤを入力しているが、当該構成は、上記摘記事項「２（１）（シ）」にも記載されているように、ユーザＩＤを使ってユーザを区別することが常套手段にすぎないことから、ユーザＩＤを入力することでユーザを区別する構成は格別の構成とはいえない。
　また、スコアを記録する際に、より多くの情報を得るため「ホール番号」や「使用クラブ」の情報も入力するようにすることは周知の技術にすぎないから（例えば、特開平６−１５０２２号公報、【００２２】【００２７】及び【図３】参照）、本願発明のように入力画面を用いて「ホール番号」や「使用クラブ」も入力する構成とすることは、当業者が必要に応じて適宜なし得た事項にすぎない。
　さらに本願発明と引用発明１ではパット数の入力の方法が、グリーンオンボタンを選択した後、パット数をまとめて入力するか否かという点で異なるが、パットは連続して打つことが多いというゴルフをプレーする上での特徴を勘案すれば、本願発明のようにパットの数をまとめて入力するように構成することは、入力の利便性を考えて適宜設計変更できた程度の事項にすぎないものである。
　そうしてみると、［相違点３］とした本願発明の構成は、当業者が引用発明１、周知の技術事項及び技術常識に基づいて容易になし得たものである。
　
［相違点４］について
　複数の端末やユーザが存在する場合に、どの端末から送られてくる情報が、どのユーザに関するものであるのかを区別するために、ユーザＩＤとそれを送信した携帯電話端末とを対応させて記憶することは必要に応じて適宜行われる程度の技術的事項にすぎない。したがって、相違点４とした本願発明の構成は、当業者が容易に想到できた程度の事項であって格別な構成とはいえない。
　
［相違点５］について
　ゴルフプレイ情報を収集する端末において、利便性を考慮して、ＧＰＳ衛星及び基地局から受信した電波に基づき現在位置情報を受信し、データベースを検索してゴルフ場名やコース名を特定する技術は、例えば特開２００２−５８７７２号公報（【００１０】【００１９】【図１】【図８】参照）にも記載されているように周知の技術事項にすぎない。そうしてみると、当該周知技術を参酌すれば、引用発明１においても、本願発明のようにＧＰＳ衛星及び基地局から受信した電波から測定された携帯電話端末の現在位置情報を受信し、ゴルフコース地図データベースを検索して、その位置情報の緯度・経度を含むゴルフコース名を特定する構成とすることは、当業者が容易に想到できた事項であり、また、ゴルフコース地図データベースをサーバ側に持たせることも、端末とサーバで構成されるいわゆるクライアントサーバシステムにおいて適宜設計できる事項にすぎない。さらに、ユーザＩＤの受信後、携帯電話端末から最初にホール番号と使用クラブとショットボタンの選択を受信したときにゴルフコース名を特定を行うようにすることも、必要に応じて適宜設計できる程度の事項にすぎない。
　したがって、［相違点５］とした本願発明の構成は、引用発明１及び周知技術に基づいて当業者が容易に想到できたものである。
　
［相違点６］について
　上記「［相違点３］について」で検討したように、引用発明１において「ホール番号」や「使用クラブ」の情報を携帯通信端末１に入力する構成は格別なものではないから、引用発明１において記録する情報として位置情報に加え、これら「ホール番号」や「使用クラブの種類の情報」も受信し記録するように構成変更することは格別の困難性を要することなくなし得たものである。また引用発明１はカップインボタンの押下によって情報の送受信が行われるのに対して、本願発明はショットボタンの選択が行われる毎に携帯電話端末からサーバへの送受信が行われるが、どのようなタイミングで情報の送受信を行うかは、送受信された情報をどのようなタイミングで利用するか、あるいは送受信をする機器の特性等に応じて適宜設計できる程度の事項にすぎないから、［相違点６］とした本願発明の構成は引用発明１、及び周知の技術に基づいて当業者が容易に想到できたものである。
　
［相違点７］について
　本願発明は、サーバ側においてカウントアップを行っているのに対して、引用発明１は本願発明の携帯電話端末に相当する携帯通信端末１においてスコアカウントをカウントアップしている点で相違するものの、スコアのカウントそのものをどこで行わせるかは、全体のシステムの構成や、端末側の処理能力などを勘案して、システム設計する際に適宜決定される事項にすぎないから、本願発明のようにサーバ側でカウントを行い、打数をリアルタイムで携帯電話端末に送信するとともに、ユーザ情報データベースに記録する構成とすることは当業者が適宜選択設計できた事項にすぎない。また、位置情報を受信した回数はショットボタンを選択した回数であるからこれをカウントする構成とすることも格別な事項ではない。さらに、パットに関しては「［相違点３］について」で検討したように、パットの回数がまとめて入力されるから、これをカウントする構成とすることも格別の事項ではない。
　したがって、［相違点７］とした本願発明の構成は、当業者が引用発明１及び周知の技術事項に基づいて容易に想到することができたものである。
　なお、この点に関して、審判請求人は平成２０年８月２０日付け手続補正書の「（４）（ｄ）」において、「したがって、引用文献１には、本願発明の「ショット毎のデータ記憶機能とデータ処理機能を全面的にサーバに委ねることで、携帯電話端末に固有の記憶装置を持たないようにする」という本願発明の技術思想が無く、打数のカウントアップを携帯端末で行うものである以上、打数のカウントアップを、位置情報を受信した回数からサーバで行うことは、当業者が必要に応じて適宜設定し得たものではない。」と主張しているが、端末とサーバからなるいわゆるクライアントサーバシステムにおいて、端末とサーバの間で処置やデータの持ち方をどのように分担するかは、システム設計を行う上で必要に応じて任意に決定できる事項であることは技術常識であるから、データを端末側とサーバのどちら側に持たせ、カウントするかということは任意に設計できる事項にすぎない。したがって、上記請求人の主張は採用できない。
　
［相違点８］について
　引用発明２は、引用発明１と同様に、端末機によりゴルフのプレー情報の収集を行うものにおいて、収集された情報や分析された情報をＷｅｂやＷＷＷなどを用いてインターネットで受ける技術であり、引用例１（上記摘記事項「２（１）（オ）」参照）にも、データ処理部に過去のゴルフデータを個人データ格納部２３からダウンロードして表示する技術について記載されている。
　したがって、引用発明１に引用発明２の技術や引用例１に記載された上記
技術を適用することによって、ユーザ情報データベースに有する記録情報をユーザの通信情報端末に送信する構成は容易に想到できたものである。また、この記録情報の送信をリクエストによって行うようにすることも格別な事項とは言えない。
　したがって、［相違点８］とした本願発明の構成は、当業者が引用発明１、引用発明２、引用例１に記載された事項に基づいて容易に発明をすることができたものである。
　
　そして、本願発明の効果も、引用発明１、引用発明２、引用例１に記載された事項、周知技術及び技術常識から予測できる程度のものにすぎない。
　
　
５　むすび
　上記「４」で述べたとおり、本願請求項１に係る発明は、引用発明１、引用発明２、引用例１に記載された事項、周知技術及び技術常識に基づいて、当業者が容易に発明をすることができたものであるから、特許法２９条２項の規定により特許を受けることができない。
　したがって、本願は、他の請求項について検討するまでもなく、拒絶すべきものである。
　
　よって、結論のとおり審決する。